【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
グラフィカルユーザインターフェースであって、該グラフィカルユーザインターフェースは、
コントローラを備え、
該コントローラは、軸方向に間隔が空いた複数の病変レベルを含む身体領域において、病変のパターンを形成するプロセスを実施することを、段階的な態様でユーザに視覚的に促すためのものであり、各病変レベルは、円周方向に間隔が空いた複数の病変を含み、各円周方向に間隔が空いたレベル内で、または各円周方向に間隔が空いたレベル内および各円周方向に間隔が空いたレベル間の両方で、病変がリアルタイムに生成される際に、病変の形成を登録するための手段をさらに含み、該コントローラは、該ユーザに、それぞれのレベル内の病変形成の状態に依存して、該病変レベルの表示を図形的に変更することによって該プロセスの進捗の視覚的記録を表示することにより、所与のレベル内で所望される個々の病変が全て形成され、かつ所与のレベルの病変がスキップされないように、該ユーザを誘導する、グラフィカルユーザインターフェース。
【請求項２】
各病変レベルにおいて、各病変レベルの番号識別を有する第１の定型化された図形画像を生成するための手段と、所与のレベルでの病変の該形成が示されるときに生成され、該第１の定型化された図形画像とは異なる第２の定型化された図形画像を生成するための手段であって、所与のレベルにおいて形成されるべき病変の数をさらに示す、手段と、該第２の図形画像を、リアルタイムで病変の形成を反映するように追加された指標を含む、第１の画像または第２の画像とは異なる第３の図形画像に変更するための手段と、それぞれの病変レベルで、該所望の病変パターンを形成する際に、該第１の図形画像、第２の図形画像、および第３の図形画像とは異なり、全ての所望の病変が、該レベルで形成されたことを示すためのインジケータを備える、第４の図形画像を生成するための手段とをさらに含み、治療されるべき次の病変レベルを該ユーザに指示し、連続的な病変レベルが治療される際に更新されるマーカを生成するための手段をさらに含む、請求項１に記載のグラフィカルユーザインターフェース。
【請求項３】
少なくとも第１および第２の異なる治療デバイスを備える治療デバイス群であって、該少なくとも第１および第２の異なる治療デバイスは、異なる組織領域において使用するために個々に展開されることが意図される、治療デバイス群と、
該第１または第２の治療デバイスのうちの選択された治療デバイスが、使用のために結合されるコネクタを含む前記コントローラであって、該コントローラは、該第１および第２の異なる治療デバイスのうちのどちらが接続されたかを識別するための手段を含む、コントローラと
と共に用いられるものであり、
該コントローラは、表示画面上で、該第１の治療デバイスが接続されるときにのみ、該第１の治療デバイスの使用を誘導する、第１のグラフィカルインターフェースと、少なくとも一部において、該第１のグラフィカルインターフェースとは異なり、かつ該第２の治療デバイスが接続されるときにのみ、該第２の治療デバイスの使用を誘導する、第２のグラフィカルインターフェースとを実行するための動作システムをさらに含み、該コントローラは、該第１および第２のグラフィカルインターフェースのうちの少なくとも１つに対して、該接続された治療デバイスを使用して、軸方向に間隔が空いた複数の病変レベルを含む身体領域において、病変のパターンを形成するプロセスを実施することを、段階的にユーザに視覚的に促すための前記手段であって、各病変レベルは、円周方向に間隔が空いた複数の病変を含む、手段を含み、各円周方向に間隔が空いたレベル内および各円周方向に間隔が空いたレベル間の両方で、病変がリアルタイムに生成される際に、病変の該形成を登録するための手段をさらに含み、該グラフィカルユーザインターフェースは、該ユーザに、開始から終了までの該プロセスの進捗の視覚的記録を表示し、所与のレベル内で所望される個々の病変が全て形成され、かつ所与のレベルの病変がスキップされないように、該ユーザを誘導する、請求項１に記載のグラフィカルユーザインターフェース。
【請求項４】
外科処置を実施するために、患者の胃腸管へのエネルギーの印加に対する、異なる組織レベルおよび各組織レベル内の異なる治療領域が、モニタ上に視覚的に追跡され、前記グラフィカルユーザインターフェースは、該組織のレベルに対応する複数の組織レベルインジケータを含み、各組織レベルインジケータが、別個の領域に細分され、各組織レベルの各治療領域の治療の後に、該組織レベルインジケータの領域は、治療されたとして視覚的にマークされる、請求項１に記載のグラフィカルユーザインターフェース。
【請求項５】
前記組織レベルインジケータは、リアルタイムで変化し、前記外科処置を通じて、前記胃腸管内の前記異なる組織レベルにおいて組織病変を創出するようにユーザを段階的に誘導する、請求項４に記載のグラフィカルユーザインターフェース。
【請求項６】
前記組織レベルインジケータは、リアルタイムで変化し、前記処置の開始から終了までの該処置の進捗を記録する、請求項４または５に記載のグラフィカルユーザインターフェース。
【請求項７】
前記システムに接続された電気外科デバイスの電極チャネルが無効化される場合、前記組織レベルインジケータの領域は、治療されていないとして視覚的に示される、請求項４〜６のいずれかに記載のグラフィカルユーザインターフェース。
【請求項８】
前記組織レベルインジケータは、アレイ内に積層され、選択される組織レベルに対応する該組織レベルインジケータは、該アレイから視覚的に除去され、該組織レベルでの治療の完了後に、該アレイに視覚的に戻され、続いて別の組織レベルインジケータが、該アレイから視覚的に除去される、請求項４〜７のいずれかに記載のグラフィカルユーザインターフェース。
【請求項９】
前記組織レベルインジケータは、アレイ内に積層され、該組織レベルインジケータの裏面を曝露させるために、互いから間隔を空けられている、請求項４〜７のいずれかに記載のグラフィカルユーザインターフェース。
【請求項１０】
各インジケータは、円盤の形状であり、前記領域は、該円盤の形状のインジケータの細分である、請求項４〜９のいずれかに記載のグラフィカルユーザインターフェース。
【請求項１１】
前記システムは、組織の特定のレベルにおいて形成された病変の数および位置と、組織の特定のレベルにおいて形成されていない病変の数および位置との表示を提供する、請求項４〜１０のいずれかに記載のグラフィカルユーザインターフェース。
【請求項１２】
前記組織レベルの位置および／または配向は、前記外科処置の間に変化する、請求項４〜１１のいずれかに記載のグラフィカルユーザインターフェース。
【請求項１３】
電気外科処置のためのグラフィカルユーザインターフェースであって、該電気外科処置は、組織の軸方向に間隔が空いたレベルにおいて複数の病変を創出するために、電気外科デバイスの複数の電極を通してエネルギーを印加することを含み、該グラフィカルユーザインターフェースは、治療部位における電極または組織の少なくとも１つの測定されたパラメータの指示と、組織の各レベルにおいて形成された病変の数の図形指示とを提供するグラフィカルディスプレイを含む、グラフィカルユーザインターフェース。
【請求項１４】
前記グラフィカルディスプレイは、電極アレイアイコンと病変アイコンとを同時に表示し、該電極アレイアイコンは、第１のパラメータを示す、請求項１３に記載のグラフィカルユーザインターフェース。
【請求項１５】
前記病変アイコンは、リアルタイムで変化し、一連の組織レベルにおいて病変を創出するように、前記外科処置を通じてユーザを段階的に誘導する、請求項１４に記載のグラフィカルユーザインターフェース。
【請求項１６】
前記病変アイコンは、リアルタイムで変化し、前記外科処置の開始から終了まで該処置の進捗を記録する、請求項１４に記載のグラフィカルユーザインターフェース。
【請求項１７】
前記電極アレイアイコンは、第２のパラメータを示し、前記第１のパラメータおよび該第２のパラメータは、前記デバイスの対応する電極チャネルが無効化される場合、該第１のパラメータが、所与の時間での測定された組織温度値、所与の時間での測定された電極温度値、または所与の時間での測定されたインピーダンス値のうちの１つであることを警告するという数値的表示を提供する、請求項１４〜１６のいずれかに記載のグラフィカルユーザインターフェース。
【請求項１８】
前記病変アイコンは、第１、第２および第３の組織レベルに対応する第１、第２および第３の積層された病変アイコンを含み、該第１の組織レベルでの治療の後に、第２の図形形態は、該第２の組織レベルでの治療に対して表示され、各病変アイコンは、積層された関係で配設される一連の形状の形態であり、各形状が、複数のセグメントにセグメント化され、各セグメントは、選択された組織レベルでの組織治療領域に対応する、請求項１４〜１７のいずれかに記載のグラフィカルユーザインターフェース。
【請求項１９】
前記デバイスのバルーンの拡張を示すためのバルーンアイコンをさらに含む、請求項１３〜１８のいずれかに記載のグラフィカルユーザインターフェース。
【請求項２０】
別の組織レベルへの図形記述の変化は、標的組織との接触を示す電極インピーダンスを検知することに応答する、請求項１３〜１９のいずれかに記載のグラフィカルユーザインターフェース。
【請求項２１】
時間の経過量を示すタイマーアイコンをさらに含み、前記温度値および前記インピーダンス値が、該タイマーアイコンの周りのアレイにおいて表示される、請求項１３〜２０のいずれかに記載のグラフィカルユーザインターフェース。
【請求項２２】
コントローラと、エネルギーを前記電極に印加する発電機との組み合わせであるグラフィカルユーザインターフェースであって、前記病変アイコンは、前記一連の組織レベルから指定された組織レベルと、該指定された組織レベルにおいて形成された病変の数とを示す、請求項１４〜２１のいずれかに記載のグラフィカルユーザインターフェース。
【請求項２３】
前記グラフィカルディスプレイは、対応する線形アレイ内において、前記電気外科デバイスの電極チャネルが無効化されるか否かを示す、請求項１３〜２２のいずれかに記載のグラフィカルユーザインターフェース。
【請求項２４】
コントローラとの組み合わせであるグラフィカルユーザインターフェースであって、該コントローラは、第１の治療デバイス該コントローラに取り付けられているか第２の異なる治療デバイスが該コントローラに取り付けられているかをさらに識別し、動作システムは、該コントローラによって識別される治療デバイスの第１の視覚的指示を提供する、請求項１３〜２３のいずれかに記載のグラフィカルユーザインターフェース。
【請求項２５】
前記コントローラは、コード化された識別要素によって前記治療デバイスを識別する、請求項２４に記載のグラフィカルユーザインターフェース。
【請求項２６】
前記コード化された識別要素は、各治療デバイスのハンドルに位置付けられている、請求項２５に記載のグラフィカルユーザインターフェース。
【手続補正２】
【補正対象書類名】明細書
【補正対象項目名】００１０
【補正方法】変更
【補正の内容】
【００１０】
一実施形態において、該システムおよび方法は、各病変レベルで、そのレベルの番号識別を伴って、第１の定型化された図形画像を生成するステップと、第１の定型化された図形画像とは異なり、所与のレベルで病変の形成が示されるときに生成され、さらにそのレベルで形成されるべき病変の数を示す、第２の定型化された図形画像を生成するステップと、を含む。該システムおよび方法は、第２の図形画像を、リアルタイムで病変の形成を反映するように追加された指標を含む、第１または第２の画像とは異なる、第３の図形画像に変更するステップを含む。該システムおよび方法はさらに、それぞれの病変レベルで、所望の病変パターンを形成すると、第１、第２、および第３の図形画像とは異なり、全ての所望の病変が、そのレベルで形成されたことを示すためのインジケータを備える、第４の図形画像を生成するステップを含む。該システムおよび方法はさらに、治療されるべき次の病変レベルをユーザに指示し、連続的な病変レベルが治療される際に更新されるマーカを生成するステップを含む。
本願明細書は、例えば、以下の項目も提供する。
（項目１）
グラフィカルユーザインターフェースであって、
コントローラを備え、
該コントローラは、軸方向に間隔が空いた複数の病変レベルを含む身体領域において、病変のパターンを形成するプロセスを実施することを、段階的な態様でユーザに視覚的に促すための手段を含み、各病変レベルは、円周方向に間隔が空いた複数の病変を含み、各円周方向に間隔が空いたレベル内および各円周方向に間隔が空いたレベル間の両方で、病変がリアルタイムに生成される際に、病変の形成を登録するための手段をさらに含み、該コントローラは、該ユーザに、開始から終了までの該プロセスの進捗の視覚的記録を表示し、所与のレベル内で所望される個々の病変が全て形成され、かつ所与のレベルの病変がスキップされないように、該ユーザを誘導する、グラフィカルユーザインターフェース。
（項目２）
グラフィカルユーザインターフェースであって、
コントローラを備え、該コントローラは、
軸方向に間隔が空いた複数の病変レベルを含む身体領域において、病変のパターンを形成するプロセスを実施することを、段階的な態様でユーザに視覚的に促すための手段を含み、各病変レベルは、円周方向に間隔が空いた複数の病変を含み、各病変レベルにおいて、各病変レベルの番号識別を有する第１の定型化された図形画像を生成するための手段と、所与のレベルでの病変の該形成が示されるときに生成され、該第１の定型化された図形画像とは異なる第２の定型化された図形画像を生成するための手段であって、所与のレベルにおいて形成されるべき病変の数をさらに示す、手段と、該第２の図形画像を、リアルタイムで病変の形成を反映するように追加された指標を含む、第１の画像または第２の画像とは異なる第３の図形画像に変更するための手段と、それぞれの病変レベルで、該所望の病変パターンを形成する際に、該第１の図形画像、第２の図形画像、および第３の図形画像とは異なり、全ての所望の病変が、該レベルで形成されたことを示すためのインジケータを備える、第４の図形画像を生成するための手段とを含み、治療されるべき次の病変レベルを該ユーザに指示し、連続的な病変レベルが治療される際に更新されるマーカを生成するための手段をさらに含む、グラフィカルユーザインターフェース。
（項目３）
治療デバイス群の動作を制御するためのシステムであって、
該システムは、
少なくとも第１および第２の異なる治療デバイスを備える治療デバイス群であって、該少なくとも第１および第２の異なる治療デバイスは、異なる組織領域において使用するために個々に展開されることが意図される、治療デバイス群と、
該第１または第２の治療デバイスのうちの選択された治療デバイスが、使用のために結合されるコネクタを含むコントローラであって、該コントローラは、該第１および第２の異なる治療デバイスのうちのどちらが接続されたかを識別するための手段を含む、コントローラと
を含み、
該コントローラは、表示画面上で、該第１の治療デバイスが接続されるときにのみ、該第１の治療デバイスの使用を誘導する、第１のグラフィックインターフェースと、少なくとも一部において、該第１のグラフィックインターフェースとは異なり、かつ該第２の治療デバイスが接続されるときにのみ、該第２の治療デバイスの使用を誘導する、第２のグラフィックインターフェースとを実行するための動作システムをさらに含み、該コントローラは、該第１および第２のグラフィックインターフェースのうちの少なくとも１つに対して、該接続された治療デバイスを使用して、軸方向に間隔が空いた複数の病変レベルを含む、身体領域において、病変のパターンを形成するプロセスを実施することを、段階的にユーザに視覚的に促すための手段であって、各病変レベルは、円周方向に間隔が空いた複数の病変を含む、手段を含み、各円周方向に間隔が空いたレベル内および各円周方向に間隔が空いたレベル間の両方で、それらがリアルタイムに生成される際に、病変の該形成を登録するための手段をさらに含み、該グラフィカルユーザインターフェースは、該ユーザに、開始から終了までの該プロセスの進捗の視覚的記録を表示し、所与のレベル内で所望される個々の病変が全て形成され、かつ所与のレベルの病変がスキップされないように、該ユーザを誘導する、システム。
（項目４）
前記治療デバイスのうちの１つは、下部食道括約筋において、または、下部食道括約筋の近傍で、病変を形成するようにサイズ決定および構成される、項目３に記載のシステム。
（項目５）
前記治療デバイスのうちの１つは、肛門括約筋において、または、肛門括約筋の近傍で、病変を形成するようにサイズ決定および構成される、項目３に記載のシステム。
（項目６）
軸方向に間隔が空いた複数の病変レベルを含む身体領域において、病変のパターンを形成するプロセスを実施することを、段階的にユーザに視覚的に促すための図形表示を生成することであって、各病変レベルは、円周方向に間隔が空いた複数の病変を含む、ことを含み、各円周方向に間隔が空いたレベル内および各円周方向に間隔が空いたレベル間の両方で、それらがリアルタイムに生成される際に、病変の該形成を登録することをさらに含み、該図形表示は、該ユーザに、開始から終了までの該プロセスの進捗の視覚的記録を表示し、所与のレベル内で所望される個々の病変が全て形成され、かつ所与のレベルの病変がスキップされないように、該ユーザを誘導する、方法。
（項目７）
軸方向に間隔が空いた複数の病変レベルを含む身体領域において、病変のパターンを形成するプロセスを実施することを、段階的な態様でユーザに視覚的に促すための図形表示を生成することであって、各病変レベルは、円周方向に間隔が空いた複数の病変を含み、該生成することは、各病変レベルにおいて、各病変レベルの番号識別を有する第１の定型化された図形画像を生成することと、該第１の定型化された図形画像とは異なり、所与のレベルでの病変の該形成が示されるときに生成され、さらにそのレベルで形成されるべき病変の数を示す、第２の定型化された図形画像を生成することと、該第２の図形画像を、リアルタイムで病変の該形成を反映するように追加された指標を含む、該第１または第２の画像とは異なる、第３の図形画像に変更することと、該それぞれの病変レベルで、該所望の病変パターンを形成すると、該第１、第２、および第３の図形画像とは異なり、全ての所望の病変が、該レベルで形成されたことを示すためのインジケータを備える、第４の図形画像を生成することとによって行われ、該生成することは、治療されるべき次の病変レベルを該ユーザに指示し、連続的な病変レベルが治療される際に更新されるマーカを生成することとを含む、方法。